(57)【要約】【課題】  着座姿勢から起立姿勢まで天板の高さが大きく変化する昇降天板付きデスクにおいて、床面から昇降天板の下面まで冗長性を持たせてフレキシブルにコード類を配線することができ、余剰部分が邪魔にならない昇降天板付きデスクの立上げ配線装置を提供する。【解決手段】  両側に配した脚体１を固定脚１０に対して可動脚１１を上下動可能に支持した構造とし、両可動脚の上端で支持した天板２の高さを調節可能とする昇降天板付きデスクであって、可撓性素材からなる長尺シート状の外被部材３６の長手方向に、弾性素材からなる偏平帯状の芯板を添設し、外被部材の長手方向の両縁に沿ってファスナー３８を設けて外被部材を筒状に閉じて内部にコード類を収容することが可能な配線包持体６を備え、配線包持体の下部を固定脚に保持し、上部に余剰部分３５を設けて上端を天板等の昇降部に取付けてなる。【選択図】        図５
2017079891.tif 000002
【特許請求の範囲】
【請求項１】
両側に配した脚体を固定脚に対して可動脚を上下動可能に支持した構造とし、両可動脚の上端で支持した天板の高さを調節可能とする昇降天板付きデスクであって、可撓性素材からなる長尺シート状の外被部材の長手方向に、弾性素材からなる偏平帯状の芯板を添設するとともに、前記外被部材の長手方向の両縁に沿ってファスナーを設けて該外被部材を筒状に閉じて内部にコード類を収容することが可能な配線包持体を備え、前記配線包持体は、前記芯板の面の法線が、前記天板の短縁を含む鉛直面に平行な方向に向くように設定して、該配線包持体の下部を前記固定脚に保持するとともに、上部に余剰部分を設けて上端を前記天板等の昇降部に取付け、前記天板の昇降動作時に余剰部分が該天板の短縁方向に湾曲してなることを特徴とする昇降天板付きデスクの立上げ配線装置。
【請求項２】
前記配線包持体は、前記ファスナーで閉じて筒状とした際に、前記芯板が内部に位置してなる請求項１記載の昇降天板付きデスクの立上げ配線装置。
【請求項３】
前記配線包持体の下部を前記固定脚の背面側に前記芯板を介して緊締具で保持するとともに、前記天板が最上位置に上昇した際にも上部に余剰部分を有する長さに設定して前記芯板の上端に固定した取付具を前記天板の下面であって該天板を支持する前後方向に向いた支持杆の外側に取付けてなり、前記天板を下降させた際に、前記配線包持体の余剰部分が側面視Ｓ字状に湾曲してなる請求項１又は２記載の昇降天板付きデスクの立上げ配線装置。
【請求項４】
前記緊締具は、固定台と緊迫バンドとからなり、前記配線包持体の下部に対応する位置に、少なくも間隔を置いて二つの固定台を、前記外被部材を挟んで前記芯板に取付け、前記固定台には、前記固定脚の円周部に密接する湾曲した当接面と両側に前記緊迫バンドの両端部を係止する係止部を設けてなる請求項３記載の昇降天板付きデスクの立上げ配線装置。
【発明の詳細な説明】
【技術分野】
【０００１】
本発明は、昇降天板付きデスクの立上げ配線装置に係わり、更に詳しくは床面から昇降天板の下面までコード類を配線するための昇降天板付きデスクの立上げ配線装置に関するものである。
【背景技術】
【０００２】
従来から、両側に配した脚体を固定脚の内部に可動脚の下部を上下動可能に支持した構造とし、これら固定脚と可動脚との間に駆動機構を設けて該可動脚を昇降可能とし、該可動脚の上端に取付けた天板の高さを調節可能とした昇降天板付きデスク装置は各種提供されている。
【０００３】
例えば、特許文献１には、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた天板の高さを調節可能とするとともに、両脚体の固定脚の後端面で上端部間に幕板を取付け、前記天板の後縁と幕板の上端部間に配線ダクトが形成された昇降天板付きデスク装置が開示されている。
【０００４】
また、床面から天板の下面までコード類を配線するために脚支柱を利用して立上げダクトを設ける構造も提案されている。例えば、特許文献２、３には、固定の中空脚支柱の長手方向に長穴を形成し、該長穴から脚支柱の内部に配線コード類を収容し、断面Ｃ字状の支柱カバーで脚支柱を外被して長穴を隠すようにした構造や、脚支柱に沿って設けたカバー体の内部を配線用空間とした構造のものであり、天板の高さが変化する用途には適用できない。
【０００５】
また、特許文献４には、ディスプレイを載せる載置台が昇降可能であり、下部に設置したＯＡ機器本体との接続コードを通すための縦長の長孔を塞ぐようにファスナー付きのテープを設け、該ファスナーの開放部から接続コードを引き出し、前記載置台の昇降に伴って開口部の位置を上下に変更できる構造の立上げ配線装置が開示されている。しかし、この特許文献４に記載のものは、長孔からなるコード類の縦ダクトが固定的であり、ファスナーの二つのスライダー間の開放部にコード類を通すパイプを相通し、パイプと二つのスライダーを共に上下方向に移動させるというものであり、天板の高さが大きく変化する昇降天板付きデスクに直ちに適用できるものではない。
【先行技術文献】
【特許文献】
【０００６】
【特許文献１】特許第４７９７９１２号公報
【特許文献２】特開平１１−１６９２４０号公報
【特許文献３】特開２０１３−０９０８０１号公報
【特許文献４】特開平０５−２３７０１５号公報
【発明の概要】
【発明が解決しようとする課題】
【０００７】
そこで、本発明が前述の状況に鑑み、解決しようとするところは、着座姿勢から起立姿勢まで天板の高さが大きく変化する昇降天板付きデスクにおいて、床面から昇降天板の下面まで冗長性を持たせてフレキシブルにコード類を配線することができるとともに、余剰部分が邪魔にならない昇降天板付きデスクの立上げ配線装置を提供する点にある。
【課題を解決するための手段】
【０００８】
本発明は、前述の課題解決のために、両側に配した脚体を固定脚に対して可動脚を上下動可能に支持した構造とし、両可動脚の上端で支持した天板の高さを調節可能とする昇降天板付きデスクであって、可撓性素材からなる長尺シート状の外被部材の長手方向に、弾性素材からなる偏平帯状の芯板を添設するとともに、前記外被部材の長手方向の両縁に沿ってファスナーを設けて該外被部材を筒状に閉じて内部にコード類を収容することが可能な配線包持体を備え、前記配線包持体は、前記芯板の面の法線が、前記天板の短縁を含む鉛直面に平行な方向に向くように設定して、該配線包持体の下部を前記固定脚に保持するとともに、上部に余剰部分を設けて上端を前記天板等の昇降部に取付け、前記天板の昇降動作時に余剰部分が該天板の短縁方向に湾曲してなることを特徴とする昇降天板付きデスクの立上げ配線装置を構成した（請求項１）。
【０００９】
また、前記配線包持体は、前記ファスナーで閉じて筒状とした際に、前記芯板が内部に位置してなることが好ましい（請求項２）。
【００１０】
更に、前記配線包持体の下部を前記固定脚の背面側に前記芯板を介して緊締具で保持するとともに、前記天板が最上位置に上昇した際にも上部に余剰部分を有する長さに設定して前記芯板の上端に固定した取付具を前記天板の下面であって該天板を支持する前後方向に向いた支持杆の外側に取付けてなり、前記天板を下降させた際に、前記配線包持体の余剰部分が側面視Ｓ字状に湾曲してなることがより好ましい（請求項３）。
【００１１】
そして、前記緊締具は、固定台と緊迫バンドとからなり、前記配線包持体の下部に対応する位置に、少なくも間隔を置いて二つの固定台を、前記外被部材を挟んで前記芯板に取付け、前記固定台には、前記固定脚の円周部に密接する湾曲した当接面と両側に前記緊迫バンドの両端部を係止する係止部を設けてなることがより好ましい（請求項４）。
【発明の効果】
【００１２】
以上にしてなる請求項１に係る発明の昇降天板付きデスクの立上げ配線装置は、両側に配した脚体を固定脚に対して可動脚を上下動可能に支持した構造とし、両可動脚の上端で支持した天板の高さを調節可能とする昇降天板付きデスクであって、可撓性素材からなる長尺シート状の外被部材の長手方向に、弾性素材からなる偏平帯状の芯板を添設するとともに、前記外被部材の長手方向の両縁に沿ってファスナーを設けて該外被部材を筒状に閉じて内部にコード類を収容することが可能な配線包持体を備え、前記配線包持体は、前記芯板の面の法線が、前記天板の短縁を含む鉛直面に平行な方向に向くように設定して、該配線包持体の下部を前記固定脚に保持するとともに、上部に余剰部分を設けて上端を前記天板等の昇降部に取付け、前記天板の昇降動作時に余剰部分が該天板の短縁方向に湾曲してなるので、床面から昇降天板の下面まで冗長性を持たせてフレキシブルにコード類を配線することができるとともに、余剰部分が邪魔にならず、また芯板が最小の曲率半径を保ちながら湾曲するので、外被部材の内部に包持されたコード類を過度に屈曲させずに保護でき、更に天板を昇降させた際に、配線包持体の余剰部分が天板から飛び出して邪魔になるようなことがなく、コード類をすっきり立上げ配線することができる。
【００１３】
請求項２によれば、前記配線包持体は、前記ファスナーで閉じて筒状とした際に、前記芯板が内部に位置してなるので、芯板が隠れて外観的に見栄えが良くなる。
【００１４】
請求項３によれば、前記配線包持体の下部を前記固定脚の背面側に前記芯板を介して緊締具で保持するとともに、前記天板が最上位置に上昇した際にも上部に余剰部分を有する長さに設定して前記芯板の上端に固定した取付具を前記天板の下面であって該天板を支持する前後方向に向いた支持杆の外側に取付けてなり、前記天板を下降させた際に、前記配線包持体の余剰部分が側面視Ｓ字状に湾曲してなるので、天板を昇降させた際に、配線包持体の余剰部分が脚体の後方で側面視Ｓ字状に湾曲してコンパクトになり、天板の後端から後方へ余剰部分が突出するようなことがない。
【００１５】
請求項４によれば、前記緊締具は、固定台と緊迫バンドとからなり、前記配線包持体の下部に対応する位置に、少なくも間隔を置いて二つの固定台を、前記外被部材を挟んで前記芯板に取付け、前記固定台には、前記固定脚の円周部に密接する湾曲した当接面と両側に前記緊迫バンドの両端部を係止する係止部を設けてなるので、前記配線包持体の下部を固定脚の筒状部分にも簡単且つ確実に保持することができる。
【図面の簡単な説明】
【００１６】
【図１】本発明に係る昇降天板付きデスクを示す斜視図である。
【図２】同じく昇降天板付きデスクの分解斜視図である。
【図３】側方へ隣接して２台の昇降天板付きデスクを設置し、片方のデスクの天板を上昇させた状態の斜視図である。
【図４】本発明の立上げ配線装置を適用した昇降天板付きデスクの側面図である。
【図５】同じく本発明の立上げ配線装置を適用した昇降天板付きデスクの部分斜視図である。
【図６】配線包持体の分解斜視図である。
【図７】脚体の固定脚に配線包持体の下部を保持する構造を示す分解斜視図である。
【図８】配線包持体に固定脚に対する緊締具を取付けた状態の横断面図である。
【図９】脚体の固定脚に配線包持体の下部を保持する構造を示し、（ａ）は緊締具によって保持した部分横断面図、（ｂ）は緊締具を外す状態を示した部分横断面図である。
【図１０】天板を昇降させた状態を示し、（ａ）は天板が最上位置の状態の側面図、（ｂ）は天板が中位置の状態の側面図、（ｃ）板が最下位置の状態の側面図である。
【発明を実施するための形態】
【００１７】
次に、添付図面に示した実施形態に基づき、本発明を更に詳細に説明する。図１及び図２は本発明を適用する昇降天板付きデスクを示し、図１、図４、図５及び図１０は本発明の立上げ配線装置を示し、図６〜図９はその詳細を示し、図中符号１は脚体、２は天板、３はビーム、４は支持杆、５はダクトカバー、６は配線包持体をそれぞれ示している。
【００１８】
本発明を適用する昇降天板付きデスクＡは、図１及び図２に示すように、両側に配した高さ調節可能な脚体１，１で天板２を支持した昇降天板付きデスクであって、前記脚体１，１の上端に、横方向に延びるビーム３の両端部を取付け、該ビーム３の両側部には前後方向に延びた支持杆４，４の中央部が固定されており、前記ビーム３と支持杆４，４の上面に前記天板２を載置して取付けるとともに、天板２の後部に配線ダクト７を設けるべく、前記ビーム３の後側であって、両支持杆４，４に水平な支軸８，８にてダクトカバー５の両側後部を上下回動可能に取付けるとともに、該ダクトカバー５の前端部に、該ダクトカバー５が略水平状態に保持する前記ビーム３に対して係脱可能な係止具９を設けている。
【００１９】
更に詳しくは、図２に示すように、前記脚体１は、固定脚１０に対して可動脚１１を上下動可能に支持した構造とし、両側の前記脚体１，１の可動脚１１，１１の上端に、横方向に延びるビーム３の両端部を取付けている。そして、前記固定脚１０は、図１〜図３に示すように、下端に前後方向に延びた接地脚１２を設け、該接地脚１２の少なくとも前後端部が平面視において前記天板２の側端縁１３よりも側方へ突出し、側方突出部を当接部１４，１４としている。ここで、前記当接部１４は、接触摩擦抵抗の大きなゴム等の弾性材料で形成することが望ましい。具体的には、図１及び図２に示すように、前記脚体１の固定脚１０は、筒状の外側筒１５の下端に前後方向に延びた前記接地脚１２の前後中央部を固定し、前記可動脚１１は、前記外側筒１５の内部に設けた単数又は複数の筒部材で伸縮連筒を構成したものである。本実施形態では、内側筒１６と中間筒１７の二つを前記外側筒１５の内部に同軸状に設けて伸縮連筒を構成している。
【００２０】
前記配線ダクト７においては、前記ダクトカバー５を開放した状態で前記天板２の下面１８とダクトカバーのなす角度が９０°よりも小さな角度に設定することが好ましい。更に、好ましくは前記ダクトカバー５を開放した状態で、前記天板２の下面１８とダクトカバー５のなす角度が４５°〜７０°の角度に保持する。そのため、前記ダクトカバー５の後端に前記天板２の下面１８に当接する規制部１９，１９を設けている。前記天板２の下面１８とダクトカバー５のなす角度が６０°であると、前方からの配線作業が容易になるので特に好ましい。
【００２１】
本発明に係る昇降天板付きデスクＡ，Ｂの２台を、横方向へ隣接して設置した状態を図３に示している。隣接して設置した両昇降天板付きデスクＡ，Ｂの脚体１，１の固定脚１０，１０に設けた当接部１４，１４同士を前後部において当接して最接近状態で設置した場合でも、隣接する天板２，２の側端縁１３，１３間に隙間が形成されているので、一方の昇降天板付きデスクＡの天板２を昇降しても他方の昇降天板付きデスクＢの天板２に干渉されることなく、昇降動作するのである。これは、前記天板２の後部と両側に、図１及び図４に示すように、バックパネル２０とサイドパネル２１，２１をそれぞれＬ金具２２，…で前記天板２の下面に取付けた場合も同様であり、隣接する昇降天板付きデスクＡ，Ｂの天板２，２に設けたサイドパネル２１，２１の間にも隙間が確保されるように設定している。ここで、前記バックパネル２０とサイドパネル２１は、天板２の下方にも十分な上下寸法を設けてあり、前記天板２を最上位置に上昇させた場合でも、隣接する天板２が最下位置にあるバックパネル２０とサイドパネル２１とが重なるように設定している。
【００２２】
更に詳しくは、前記固定脚１０に対して可動脚１１を昇降駆動する機構は、前述の伸縮連筒を関係付けてその内部に格納されている。前記内側筒１６の上端には、図２に示すように、取付体２３が固定されており、該取付体２３の内部には回転数を制御できるサーボモータあるいはステッピングモータ等の駆動モータが内蔵されており、前述の伸縮連筒と外側筒１５の内部に設けた送りネジ機構等から構成した昇降機構部が格納されている。そして、横方向に延びる上方開放のビーム３の両端部内に前記取付体２３を取付け、更に該取付体２３を覆うように化粧カバー２４が取付けられている。
【００２３】
また、前記ビーム３の凹溝２５の内部には、駆動モータを制御する電子制御装置２６を組み込み、該電子制御装置２６の操作スイッチ２７を図１、図４及び図５に示すように、一方の前記支持杆４の手前側に設け、その配線は該支持杆４の内部からビーム３の凹溝２５を通して電子制御装置２６に繋がっている。尚、前記支持杆４の全体を合成樹脂製のカバー２８で覆うことも好ましい。
【００２４】
また、前記天板２の後部の両側には、その下方に設けたダクトカバー５からなる配線ダクト７に関連して配線機能部２９，２９を設けている。前記配線機能部２９は、前記天板２に上下貫通して形成した開口３０の内部に、配線を挿通するための機能のついた配線カバー３１を設けたり、各種接続端子を備えたコンセント３２を設けたりする。
【００２５】
そして、前記配線ダクト７からビーム３の凹溝２５内を通して前記電子制御装置２６と駆動モータに電力を供給し、あるいは通信のためのＬＡＮケーブルを配線する必要がある。そのため、図１〜図４、図５及び図１０に示すように、アクセスフロア等の床面から引き出したコード類を包持して立上げ配線可能な立上げ配線装置３３を設けている。
【００２６】
前記立上げ配線装置３３は、図１、図４及び図５に示すように、前記配線包持体６の下部３４を前記固定脚１０に直線状に立ち上げて保持するとともに、上部に余剰部分３５を設けて上端を前記天板２等の昇降部に取付けて構成する。
【００２７】
そして、前記配線包持体６は、図６〜図８に示すように、可撓性素材からなる長尺シート状の外被部材３６の長手方向に、弾性素材からなる偏平帯状の芯板３７を添設するとともに、前記外被部材３６の長手方向の両縁に沿ってファスナー３８を設けて該外被部材３６を筒状に閉じて内部にコード類を収容することが可能な構造である。この場合、前記配線包持体６は、前記ファスナー３８で閉じて筒状とした際に、前記芯板３７が内部に位置するようにしている。この場合、前記外被部材３６の短辺側の横幅は、前記芯板３７の横幅の２倍以上に設定し、該芯板３７を内部に巻き込めると同時に、複数本のコード類Ｃを包持できるようにする。ここで、前記芯板３７は偏平な帯状であるので、湾曲して変形する方向は拘束される。
【００２８】
本実施形態では、前記外被部材３６は織布を用い、前記芯板３７は折れ難く弾性変形が可能な合成樹脂板を用い、前記ファスナー３８はファブリックファスナーを用いて構成したが、同等な性能を有するものであれば他の素材を用いても良い。例えば、前記外被部材３６は、可撓性の合成樹脂シートでも良い。前記芯板３７は金属製の薄い板バネを用いても良く、特に好ましくはポリカーボネート樹脂のような折れ難く、弾性復元性に優れた素材を用いる。前記ファスナー３８は、コード類Ｃを包持する際に、前記外被部材３６を開くことができることが望ましく、そのため完全に分離できる構造が適している。
【００２９】
前記外被部材３６を開いた状態で、幅方向の中央部に前記芯板３７を添え、互いに縫着して一体化しているが、使用する素材によって熱溶着や接着、あるいはタッカー止め、リベット止めなどを適宜採用する。
【００３０】
ここで、前記配線包持体６は、前記芯板３７の面の法線が、前記天板２の短縁を含む鉛直面に平行な方向に向くように設定して前記固定脚１０と前記天板２の下面１８等の昇降部に取付け、前記天板２の昇降動作時に余剰部分３５が該天板２の短縁方向に湾曲するようにしている。具体的には、図１、図４、図５及び図１０に示すように、前記配線包持体６の下部３４を前記固定脚１０の背面側に前記芯板３７を介して緊締具３９で保持するとともに、前記天板２が最上位置に上昇した際にも上部に余剰部分３５を有する長さに設定して前記芯板３７の上端に固定した取付具４０を前記天板２等の昇降部に取付け、前記天板２を下降させた際に、前記配線包持体６の余剰部分３５が側面視Ｓ字状に湾曲するようにしている。
【００３１】
ここで、前記緊締具３９は、図６〜図９に示すように、固定台４１と緊迫バンド４２とからなり、前記配線包持体６の下部３４に対応する位置に、少なくも間隔を置いて二つの固定台４１，４１を、前記外被部材３６を挟んで前記芯板３７にネジ４３で取付けている。前記固定台４１には、前記固定脚１０の外側筒１５の円周部に密接する湾曲した当接面４４と両側に前記緊迫バンド４２を係止する係止部４５，４５を設けたものである。そして、前記配線包持体６の下部３４を、前記緊締具３９の固定台４１の当接面４４を前記固定脚の外側筒１５の円周部に密接した状態で、該外側筒１５を包囲するように巻回した前記緊迫バンド４２を前記固定台４１の係止部４５，４５に係止して緊迫して取付ける。
【００３２】
更に詳しくは、図９に示すように、前記固定台４１の当接面４４の両外側には、前記係止部４５，４５が空間４６を設けて内外へ弾性変形可能とし、該空間４６に面する前記係止部４５，４５の内面には係合段部４７，４７を形成している。一方、前記緊迫バンド４２の両端部には、前記固定台４１の空間４６，４６に挿入する挿入部４８，４８を設けるとともに、該挿入部４８，４８の先端外側に前記係合段部４７，４７に係止する係止爪４９，４９を形成している。そして、図９（ａ）に示すように、前記緊締具３９の固定台４１の当接面４４を前記固定脚１０の外側筒１５の円周部に密接した状態で、該外側筒１５を包囲するように巻回した前記緊迫バンド４２の両挿入部４８，４８を、固定台４１の空間４６，４６に挿入して、係合段部４７，４７に係止爪４９，４９を係合して保持する。尚、前記緊迫バンド４２の内面、若しくは前記固定台４１の当接面４４には滑り止めの摩擦性テープを添着することが望ましい。そして、図９（ｂ）に示すように、前記固定台４１の係止部４５，４５に指を掛けて外側に変形させれば、前記緊迫バンド４２の係止爪４９，４９が外れて分離できる。
【００３３】
また、前記取付具４０は、金属板の一部を直角に折曲したＬ字状金具であり、前記配線包持体６の前記外被部材３６の上端よりも突出させた前記芯板３７の上端にネジ止め、若しくはリベット止めしている。そして、前記取付具４０を前記天板２の下面１８の後端部にネジ止めして取付けている。具体的には、前記取付具４０を前記天板２の下面１８であって、該天板２を支持する前後方向に向いた支持杆４の外側に取付けている。尚、前記配線包持体６の上端の取付位置は、前記天板２の下面１８に限定されず、天板２とともに昇降する部位であればどこでも良い。
【００３４】
本発明の立上げ配線装置３３の動作を図１０に基づいて説明する。図１０（ａ）は天板２の高さが最上位置にある状態を示し、この状態でも前記配線包持体６の上部には余剰部分３５を有している。そして、図１０（ｂ）に示すように、天板２を降下させると前記余剰部分３５は余り長さが長くなるのでＳ字状を湾曲して折り畳まれる。そして、図１０（ｃ）に示すように、天板２を降下させて最下位置に来ると、前記余剰部分３５は更に余るので深いＳ字状を湾曲して折り畳まれる。これらの何れの状態においても、前記配線包持体６の余剰部分３５が前記天板２の後端から後方へ突出することがなく、つまり前記バックパネル２０にも接触することがない。
【００３５】
前記配線包持体６は、予め昇降天板付きデスクＡに取付けておくが、該昇降天板付きデスクＡを所定位置に設置した後に、前記ファスナー３８を開いて外被部材３６を開放した状態で、前記芯板３７コード類Ｃを沿わせながらファスナー３８を閉じて、筒状となった外被部材３６の内部に保持する。
【００３６】
本実施形態では、最も上昇した最上位置の前記天板２の上面の高さが１２５０ｍｍとなり、最も下降した最下位置の前記天板２の上面の高さが６５０ｍｍとなるので、その高低さを吸収できるだけの余剰部分３５を設けているにもかかわらず、この余剰部分３５が邪魔になることがない。通常は、前記天板２を降下させて着座姿勢で執務や作業を行なうが、前記天板２を適当な高さに上昇させて、起立姿勢で執務や作業を行なうこともできる。
【００３７】
また、昇降天板付きデスクＡの出荷時には、前記配線包持体６の内部にポケットを設けて、該デスクの取扱説明書を収納しておくことも可能である。その場合、ポケットに収納した取扱説明書の存在を配線包持体６の外部から確認できるように、前記外被部材３６の一部を透明樹脂シートで置き換えて内部を透視できる窓を設けることも好ましい。
【符号の説明】
【００３８】
Ａ，Ｂ  昇降天板付きデスク、
Ｃ  コード類、
１  脚体、                ２  天板、
３  ビーム、              ４  支持杆、
５  ダクトカバー、        ６  配線包持体、
７  配線ダクト、          ８  支軸、
９  係止具、              １０  固定脚、
１１  可動脚、            １２  接地脚、
１３  側端縁、            １４  当接部、
１５  外側筒、            １６  内側筒、
１７  中間筒、            １８  下面、
１９  規制部、            ２０  バックパネル、
２１  サイドパネル、      ２２  Ｌ金具、
２３  取付体、            ２４  化粧カバー、
２５  凹溝、              ２６  電子制御装置、
２７  操作スイッチ、      ２８  カバー、
２９  配線機能部、        ３０  開口、
３１  配線カバー、        ３２  コンセント、
３３  立上げ配線装置、    ３４  下部、
３５  余剰部分、          ３６  外被部材、
３７  芯板、              ３８  ファスナー、
３９  緊締具、            ４０  取付具、
４１  固定台、            ４２  緊迫バンド、
４３  ネジ、              ４４  当接面、
４５  係止部              ４６  空間、
４７  係合段部、          ４８  挿入部、
４９  係止爪。
【図１】
2017079891.tif 000003
【図２】
2017079891.tif 000004
【図３】
2017079891.tif 000005
【図４】
2017079891.tif 000006
【図５】
2017079891.tif 000007
【図６】
2017079891.tif 000008
【図７】
2017079891.tif 000009
【図８】
2017079891.tif 000010
【図９】
2017079891.tif 000011
【図１０】
2017079891.tif 000012